(57)【要約】【課題】障子のサイズの異なる場合でも、断面形状が共通する框の部材を用いて障子を製造することができる障子を提供する。【解決手段】上框５、下框６、召合せ框７および戸先框８は、それぞれの長さ方向の端面が長さ方向に対して斜めに切断され、上框５および下框６と、召合せ框７および戸先框８とは互いの端面を突き合わせて溶着され、上框５と下框６とは、同一の断面形状に形成され、召合せ框７は、上框５および下框６と異なる断面形状に形成され、上框５および下框６には、断面形状が異なる２以上の召合せ框７がそれぞれ溶着可能で、互いに断面形状が異なる２断面以上の召合せ框７は、それぞれ上框５および下框６の所定の位置に溶着可能であり、互いに断面形状が異なる２断面以上の召合せ框７がそれぞれ上框５および下框６に対して溶着される所定の位置は、互いに異なる位置である。【選択図】図３
2020041263.tif 000002
【特許請求の範囲】
【請求項１】
引き違いサッシに設けられ、上框、下框、召合せ框および戸先框を框組した樹脂製の框と、前記框の内側に配置される面材と、を有し、
互いに断面形状が異なる２断面以上の前記召合せ框から要求される性能に応じた１つの前記召合せ框を選択して前記框を構成可能な障子において、
前記上框、前記下框、前記召合せ框および前記戸先框は、それぞれの長さ方向の端面が前記長さ方向に対して斜めに切断され、
前記上框および前記下框と、前記召合せ框および前記戸先框とは互いの端面を突き合わせて溶着され、
前記上框と前記下框とは、同一の断面形状に形成され、
前記召合せ框は、前記上框および前記下框と異なる断面形状に形成され、
互いに断面形状が異なる２断面以上の前記召合せ框は、それぞれ前記上框および前記下框の所定の位置に溶着可能であり、
互いに断面形状が異なる２断面以上の前記召合せ框がそれぞれ前記上框および前記下框に対して溶着される前記所定の位置は、互いに異なる位置であることを特徴とする障子。
【請求項２】
断面形状が異なる２断面以上の前記召合せ框のうちの１つの第１召合せ框は、その断面の外形が前記上框および前記下框の断面の外形よりも小さい形状に形成され、
前記第１召合せ框、前記上框および前記下框には、それぞれ長さ方向に貫通する中空部が形成され、
前記第１召合せ框と、前記上框および前記下框とは、それぞれの中空部が連続し、それぞれの前記中空部の周囲に設けられ前記中空部を形成する壁部が突き合わされて溶着されている請求項１に記載の障子。
【請求項３】
前記第１召合せ框は、前記面材の縁部を収容する溝部の底面を形成する召合せ框内壁部と、
前記召合せ框内壁部と対向する位置に配置された召合せ框外壁部と、を有し、
前記召合せ框外壁部は、前記上框の上端部を構成する上框外壁部よりも前記溝部側に位置し、前記上框の上下方向の中間部に設けられた上框中間壁部と溶着されるとともに、前記下框の下端部を構成する下框外壁部よりも前記溝部側に位置し、前記下框の上下方向の中間部に設けられた下框中間壁部と溶着されている請求項２に記載の障子。
【請求項４】
断面形状が異なる２断面以上の前記召合せ框のうちの１つの第２召合せ框は、その断面の外形が前記上框および前記下框の断面の外形と同じ形状に形成され、
前記第２召合せ框と、前記上框および前記下框とは、それぞれの端面が突き合わされ、それぞれの端面の外周部同士が溶着されている請求項１に記載の障子。
【請求項５】
前記第２召合せ框と、前記上框および前記下框とは、それぞれの端面の外周部以外において、互いに溶着されていない部分を有する請求項４に記載の障子。
【発明の詳細な説明】
【技術分野】
【０００１】
本発明は、引き違いサッシに設けられる障子に関する。
【背景技術】
【０００２】
建具に設けられる障子の框は、耐風圧性を担保可能な強度に製作され、腰窓などに設けられるサイズ（例えば、高さ、幅、見付面などのサイズ）が小さな障子の框と、掃き出し窓などのサイズが大きな障子の框とでは、求められる強度が異なっている。引き違いサッシの障子の框では、一般的に召合せ框は、上框、下框および戸先框と比べて大きな負荷がかかることが知られている。
樹脂サッシの場合、樹脂製の框に形成された中空部に金属製の芯材が挿入配置されている（例えば、特許文献１および２参照）。芯材は、障子に作用する負荷を負担していて、必要な強度に対応した断面形状となっている。
また、樹脂製の横枠（上框および下框）と、縦枠（召合せ框および戸先框）とは、互いの端面が溶着されることで接合されている。
【先行技術文献】
【特許文献】
【０００３】
【特許文献１】特許第６１７３８９１号公報
【特許文献２】特許第５７４０６２８号公報
【発明の概要】
【発明が解決しようとする課題】
【０００４】
樹脂サッシにおいて、サイズの大きな障子は、サイズの小さな障子と比べて框の強度を大きくする必要があるため、断面形状の大きな芯材が設けられている。このため、サイズの大きな障子では、サイズの小さな障子と比べて芯材の断面形状が大きくなり、框の中空部の形状も大きくなり、結果として、框の断面形状も大きくなる。
このように、障子のサイズの違いによって框の断面形状を変えなければならず、サイズの異なる障子を製造する場合、コストがかかるとともに管理に手間がかかるという問題がある。
【０００５】
そこで、本発明は、障子のサイズの異なる場合でも、断面形状が共通する框の部材を用いて製造することができる障子を提供することを目的とする。
【課題を解決するための手段】
【０００６】
上記目的を達成するため、本発明に係る障子は、引き違いサッシに設けられ、上框、下框、召合せ框および戸先框を框組した樹脂製の框と、前記框の内側に配置される面材と、を有し、互いに断面形状が異なる２断面以上の前記召合せ框から要求される性能に応じた１つの前記召合せ框を選択して前記框を構成可能な障子において、前記上框、前記下框、前記召合せ框および前記戸先框は、それぞれの長さ方向の端面が前記長さ方向に対して斜めに切断され、前記上框および前記下框と、前記召合せ框および前記戸先框とは互いの端面を突き合わせて溶着され、前記上框と前記下框とは、同一の断面形状に形成され、前記召合せ框は、前記上框および前記下框と異なる断面形状に形成され、互いに断面形状が異なる２断面以上の前記召合せ框は、それぞれ前記上框および前記下框の所定の位置に溶着可能であり、互いに断面形状が異なる２断面以上の前記召合せ框がそれぞれ前記上框および前記下框に対して溶着される前記所定の位置は、互いに異なる位置であることを特徴とする。
【０００７】
本発明では、上框および下框には、断面形状が異なる２断面以上の召合せ框がそれぞれ接合可能で、断面形状が異なる２断面以上の召合せ框から要求される性能に応じた１つが接合されるように構成されている。これにより、断面形状が異なる召合せ框であっても、共通する上框および下框に接合することができる。また、断面形状が異なる２断面以上の召合せ框は、それぞれ上框および下框に対して所定の位置で溶着可能であり、２断面以上の召合せ框がそれぞれ上框および下框に対して溶着される所定の位置は、互いに異なる位置である。これにより、２断面以上の召合せ框のうちのいずれの召合せ框であっても上框および下框に対して確実に溶着することができる。
一般的に召合せ框は、上框、下框および戸先框と比べて大きな負荷がかかる。異なるサイズの障子では、召合せ框に挿入される芯材の断面形状が異なり、召合せ框の断面形状も異なることになる。
本発明では上述したように異なる断面形状の召合せ框であっても、共通する上框および下框に接合することができるため、障子のサイズの異なる場合でも、断面形状が共通する上框および下框を用いて障子を製造することができる。
【０００８】
また、本発明に係る障子では、断面形状が異なる２断面以上の前記召合せ框のうちの１つの第１召合せ框は、その断面の外形が前記上框および前記下框の断面の外形よりも小さい形状に形成され、前記第１召合せ框、前記上框および前記下框には、それぞれ長さ方向に貫通する中空部が形成され、前記第１召合せ框と、前記上框および前記下框とは、それぞれの中空部が連続し、それぞれの前記中空部の周囲に設けられ前記中空部を形成する壁部が突き合わされて溶着されていてもよい。
このような構成とすることにより、第１召合せ框の断面の外形と上框および下框の断面の外形とが異なる場合でも、中空部を連続させて中空部の周囲に設けられた壁部同士を突き合わせて溶着することができる。
【０００９】
また、本発明に係る障子では、前記第１召合せ框は、前記面材の縁部を収容する溝部の底面を形成する召合せ框内壁部と、前記召合せ框内壁部と対向する位置に配置された召合せ框外壁部と、を有し、前記召合せ框外壁部は、前記上框の上端部を構成する上框外壁部よりも前記溝部側に位置し、前記上框の上下方向の中間部に設けられた上框中間壁部と溶着されるとともに、前記下框の下端部を構成する下框外壁部よりも前記溝部側に位置し、前記下框の上下方向の中間部に設けられた下框中間壁部と溶着されていてもよい。
このような構成とすることにより、第１召合せ框の断面の外形が上框および下框の断面の外形より小さく、召合せ框外壁部が上框の上框外壁部よりも溝部側に位置し、下框外壁部よりも溝部側に位置する場合でも、召合せ框外壁部が上框中間壁部および下框中間壁部と溶着されるため、第１召合せ框を上框および下框に溶着することができる。
【００１０】
また、本発明に係る障子では、断面形状が異なる２断面以上の前記召合せ框のうちの１つの第２召合せ框は、その断面の外形が前記上框および前記下框の断面の外形と同じ形状に形成され、前記第２召合せ框と、前記上框および前記下框とは、それぞれの端面が突き合わされ、それぞれの端面の外周部同士が溶着されていてもよい。
このような構成とすることにより、第２召合せ框と、上框および下框とを確実に溶着することができる。
【００１１】
また、本発明に係る障子では、前記第２召合せ框と、前記上框および前記下框とは、それぞれの端面の外周部以外において、互いに溶着されていない部分を有する構成であってもよい。
このように、第２召合せ框と、上框および下框とが、それぞれの端面の外周部以外において溶着されていない部分があっても障子の品質に影響がない構成とすることにより、第２召合せ框の断面形状が上框および下框との断面形状が異なり、外周部以外において溶着されていない部分がある場合でも障子を所望の品質に維持することができる。その結果、断面形状の外形が上框および下框の外形と同じであるが、断面形状における内側の形状が異なる複数の第２召合せ框がある場合でも、これらの複数の第２召合せ框それぞれを共通する上框および下框に接合することができる。
【発明の効果】
【００１２】
本発明によれば、障子のサイズの異なる場合でも、断面形状が共通する上框および下框（框の部材）を用いて障子を製造することができる。
【図面の簡単な説明】
【００１３】
【図１】本発明の実施形態による建具（第１建具）の一例を示す正面図である。
【図２】本発明の実施形態による建具（第２建具）の一例を示す正面図である。
【図３】第１建具の内障子を示す正面図である。
【図４】第１建具の上框と召合せ框の接合部の斜視図である。
【図５】第１建具の下框と召合せ框の接合部の斜視図である。
【図６】上框の右側の端面を示す図である。
【図７】下框の右側の端面を示す図である。
【図８】召合せ框の上端面を上方から見た図である。
【図９】召合せ框の上端面を左側から見た図である。
【図１０】召合せ框の下端面を上方から見た図である。
【図１１】召合せ框の下端面を左側から見た図である。
【図１２】第２建具の内障子を示す正面図である。
【図１３】第２建具の上框と召合せ框の接合部の斜視図である。
【図１４】上框の左側の端部分の斜視図である。
【図１５】第２建具の下框と召合せ框の接合部の斜視図である。
【図１６】下框の左側の端部分の斜視図である。
【図１７】召合せ框の上端面を上方から見た図である。
【図１８】召合せ框の上端面を左側から見た図である。
【図１９】召合せ框の下端面を上方から見た図である。
【図２０】召合せ框の下端面を左側から見た図である。
【図２１】上框の左側の端面と召合せ框の上端面とを重ねた図である。
【図２２】下框の左側の端面と召合せ框の上端面とを重ねた図である。
【発明を実施するための形態】
【００１４】
以下、本発明の実施形態による障子について、図１乃至図２２に基づいて説明する。
図１および図２に示すように、本実施形態による障子は、樹脂製の引き違い建具１１に設けられている内障子１および外障子２で、建具１１の枠体１２に支持されている。枠体１２は、建物の外壁に形成された開口部に沿って取り付けられている。図１には、例えば床面の高さに設けられる掃き出し窓などに用いられる高さ寸法が大きい建具１１（以下、第１建具１１Ａとする。）を示し、図２には、例えば、床面よりも上方に設けられる腰窓などに用いられる高さ寸法が小さい建具１１（以下、第２建具１１Ｂとする。）を示している。
以下の説明において、室外側と室内側とを結ぶ方向（外壁に直交する方向、図１および図２では紙面に直交する方向）を室内外方向とし、室内外方向に直交する外壁に沿った水平方向を左右方向とする。左右方向のうち、室内側から室外側を見た際の左側、右側をそのまま左側、右側とする。
【００１５】
図１および図２に示すように、枠体１２は、左右方向に延びる上枠１２１および下枠１２２と、上下方向に延びて上枠１２１および下枠１２２と連結された一対の縦枠１２３と、を有している。以下の説明では、上枠１２１、下枠１２２および一対の縦枠１２３などの長尺の部材に対してそれぞれが延びる方向を長さ方向とすることがある。
上枠１２１、下枠１２２および一対の縦枠１２３は、それぞれ合成樹脂製で、内部に形成されそれぞれの長さ方向に延びる中空部に金属製の枠芯材が挿入配置されている。
【００１６】
内障子１および外障子２は、それぞれ枠状に形成された框３と、框３の内側に配置されるガラス４（面材）と、有している。
框３は、左右方向に延びる上框５および下框６と、上下方向に延びる召合せ框７および戸先框８と、を有している。
召合せ框７は、内障子１および外障子２が開口部を閉鎖している状態で一対の縦枠１２３の間の略中央部に配置され、戸先框８は、内障子１および外障子２が開口部を閉鎖している状態で一対の縦枠１２３に近接して配置されている。
内障子１と外障子２とでは、框３、ガラス４に使用される部材は基本的に共通していて、施錠部材および煙返しなどの框３に取り付けられる部材が異なっている。以下では、内障子１の框３について説明し、外障子２の框３については、説明を省略する。
また、第１建具１１Ａと第２建具１１Ｂとでは、上框５、下框６、および戸先框８が同一の断面形状に形成され、召合せ框７が異なる断面形状に形成されている。まず、第１建具１１Ａの框３について説明し、その後に第２建具１１Ｂの召合せ框７について説明する。
本実施形態の第１建具１１Ａの召合せ框７は、本発明の「第２召合せ框」に相当し、第２建具１１Ｂの召合せ框７は、本発明の「第１召合せ框」に相当している。以下では、第１建具１１Ａの召合せ框７を「第２召合せ框７Ａ」とし、第２建具１１Ｂの召合せ框７を「第１召合せ框７Ｂ」とする。
【００１７】
第１建具１１Ａの内障子１の框３について説明する。図３に示すように、上框５、下框６、第２召合せ框７Ａおよび戸先框８は、合成樹脂製で、内部に長さ全体にわたって中空部５ｃ，６ｃ，７ｃ，８ｃが形成されている。中空部５ｃ，６ｃ，７ｃ，８ｃには、金属製の框芯材３１が挿入配置される。上框５、下框６、第２召合せ框７Ａおよび戸先框８は、それぞれの幅寸法（長さ方向に直交する見付方向の寸法）がほぼ同じ長さに形成されている。上框５、下框６、および戸先框８は、同一の断面形状に形成されている。第２召合せ框７Ａは、上框５、下框６、および戸先框８とは異なる断面形状に形成されている。
【００１８】
上框５、下框６、第２召合せ框７Ａおよび戸先框８は、それぞれの長さ方向の両端面がそれぞれ斜め４５°に切断されている。
図３−図５に示すように、第２召合せ框７Ａは、上框５および下框６と互いの端面を突き合わせて９０°を成すように溶着されている。図３に示すように、戸先框８は、上框５および下框６と互いの端面を突き合わせて９０°を成すように溶着されている。
框芯材３１は、上框５、下框６、第２召合せ框７Ａおよび戸先框８よりも若干短く形成されている。框芯材３１は、上框５、下框６、第２召合せ框７Ａおよび戸先框８の長さ方向の両端部それぞれから長さ方向の外側に突出しないように配置されている。
【００１９】
戸先框８は、上框５および下框６と同一断面で、上框５および下框６の断面形状におけるそれぞれ対応する部分を溶着して接合されている。戸先框８、戸先框８と上框５との接合、および戸先框８と下框６との接合については説明を省略する。
【００２０】
図６に示すように、上框５は、室外側に設けられる上框第１室外側板部５１と、上框第１室外側板部５１の上側部分の室内側に間隔をあけて設けられる上框第２室外側板部５２と、上框第１室外側板部５１の上端部と上框第２室外側板部５２の上端部を連結する上框室外外板部（上框外壁部）５３と、上框第１室外側板部５１の下側部分の室内側に間隔をあけて設けられる上框第３室外側板部５４と、上框第１室外側板部５１の下端部と上框第３室外側板部５４の下端部とを連結する上框室外内板部５５と、室内側に設けられる上框第１室内側板部５６と、上框第１室内側板部５６の上側部分の室外側に設けられる上框第２室内側板部５７と、上框第１室内側板部５６の上端部と上框第２室内側板部５７の上端部とを連結する上框室内外板部（上框外壁部）５８と、上框第１室外側板部５１、上框第２室外側板部５２、上框第２室内側板部５７および上框第１室内側板部５６を連結する上框外板部５９と、上框第３室外側板部５４と上框第１室内側板部５６とを連結する上框内板部６０と、を有している。
【００２１】
上框第１室外側板部５１は、平板状に形成され、板面が室内外方向を向く鉛直面となる姿勢で配置されている。
上框第２室外側板部５２は、平板状に形成され、板面が室内外方向を向く鉛直面となる姿勢で配置されている。上框第２室外側板部５２は、上框第１室外側板部５１よりも上下方向の寸法が小さく形成されていて、上端部が上框第１室外側板部５１の上端部と同じ高さに配置され、下端部が上框第１室外側板部５１の下端部よりも上方に配置されている。
上框室外外板部５３は、上框第１室外側板部５１の上端部から室内側に延びて、上框第２室外側板部５２の上端部に達するとともに上框第２室外側板部５２よりも室内側に突出し、突出した先端部が下側に屈曲している。上框室外外板部５３における上框第２室外側板部５２よりも室内側に突出した部分を上框第１突出片５３１とする。
上框第２室外側板部５２の上端部よりもやや下側には、上框第２室外側板部５２から室内側に突出し、突出した先端部が上側に屈曲した上框第２突出片５２１が突設されている。上框第１突出片５３１と上框第２突出片５２１とは、上框第２室外側板部５２からの突出寸法が同一となるように形成されている。上框第１突出片５３１と上框第２突出片５２１との間にはモヘア材（不図示）が設けられるように構成されている。
【００２２】
上框第３室外側板部５４は、平板状に形成され、板面が室内外方向を向く鉛直面となる姿勢で配置されている。上框第３室外側板部５４は、上框第１室外側板部５１よりも上下方向の寸法が小さく形成されていて、下端部が上框第１室外側板部５１の下端部と同じ高さに配置され、上端部が上框第１室外側板部５１の上端部よりも下方に配置されている。上框第３室外側板部５４の上端部は、上框第２室外側板部５２の下端部よりも間隔をあけた下方に配置されている。
上框室外内板部５５は、上框第１室外側板部５１の下端部から室内側に延びて、上框第３室外側板部５４の下端部に達している。
【００２３】
上框第１室内側板部５６は、平板状に形成され、板面が室内外方向を向く鉛直面となる姿勢で配置されている。上框第１室内側板部５６は、上框第１室外側板部５１よりも上下方向の寸法が小さく形成されていて、上端部が上框第１室外側板部５１の上端部と同じ高さで、下端部が上框第１室外側板部５１の下端部よりも上方で、上框第３室外側板部５４の上端部と同じ高さに配置されている。
【００２４】
上框第２室内側板部５７は、平板状に形成され、板面が室内外方向を向く鉛直面となる姿勢で配置されている。上框第２室内側板部５７は、上框第１室内側板部５６よりも上下方向の寸法が小さく形成されていて、上端部が上框第１室内側板部５６の上端部と同じ高さに配置され、下端部が上框第１室内側板部５６の下端部よりも上方で、上框第２室外側板部５２の下端部と同じ高さに配置されている。
【００２５】
上框室内外板部５８は、上框第１室内側板部５６の上端部から室外側に延びて、上框第２室内側板部５７の上端部に達するとともに上框第２室内側板部５７よりも室外側に突出し、突出した先端部が下側に屈曲している。上框室内外板部５８における上框第２室内側板部５７よりも室外側に突出した部分を上框第３突出片５８１とする。
【００２６】
上框第２室内側板部５７の上端部よりもやや下側には、上框第２室内側板部５７から室外側に突出し、突出した先端部が上側に屈曲した上框第４突出片５７１が突設されている。上框第３突出片５８１と上框第４突出片５７１とは、上框第２室内側板部５７からの突出寸法が同一となるように形成されている。上框第３突出片５８１と上框第４突出片５７１との間にはモヘア材（不図示）が設けられるように構成されている。
【００２７】
上框第２室内側板部５７は、上框第２室外側板部５２の室内側に上框第２室外側板部５２と離間して配置されている。上框第３突出片５８１および上框第４突出片５７１は、上框第１突出片５３１および上框第２突出片５２１の室内側に上框第１突出片５３１および上框第２突出片５２１と離間して配置されている配置されている。上框第３突出片５８１は上框第１突出片５３１と対向し、上框第４突出片５７１は上框第２突出片５２１と対向している。
【００２８】
上框外板部５９は、平板状に形成され板面が水平面となる姿勢で配置されている。上框外板部５９は、上框第２室外側板部５２の下端部および上框第２室内側板部５７の下端部の高さにおいて上框第１室外側板部５１と上框第２室内側板部５７とを連結し、上框第２室外側板部５２の下端部および上框第２室内側板部５７の下端部が連結されている。
【００２９】
上框５には、上框第２室外側板部５２、上框外板部５９および上框第２室内側板部５７に囲まれて上方に開口する上框第１凹部５ａが形成されている。上框第１凹部５ａには、上枠１２１のレール（不図示）が配置される。上枠１２１のレールは、上框第１凹部５ａに配置されると、上框第１突出片５３１および上框第２突出片５２１の間に設けられたモヘア材と、上框第３突出片５８１および上框第４突出片５７１との間に設けられたモヘア材とに挟まれている。
【００３０】
上框内板部６０は、上框第３室外側板部５４の上端部と上框第１室外側板部５１の下端部よりもやや上側とを連結している。上框内板部６０は、上框第３室外側板部５４の上端部から室内側に延びる上框第１板部６０１と、上框第１板部６０１の室内側の端部から上方に延びる上框第２板部６０２と、上框第２板部６０２の上端部から室外側に延びて上框第１室外側板部５１と連結される上框第３板部６０３と、を有している。上框第１板部６０１の室内側の端部は、上框第１室内側板部５６の室内側に配置され、上框第１室内側板部５６と離間している。上框第１板部６０１の室内側の端部と、上框第１室内側板部５６の下端部は同じ高さに配置されている。上框第１板部６０１の下側には、内障子１のガラス４（図３参照）が配置される。
【００３１】
上框５には、上框第２板部６０２、上框第３板部６０３および上框第１室外側板部５１の下端部分に囲まれて下方に開口する上框第２凹部５ｂが形成されている。この上框第２凹部５ｂにはガラス４を抑える押し縁（不図示）が下側から差し込まれて嵌合するように構成されている。押し縁は、上框第１板部６０１よりも下側に突出している。上框第３室外側板部５４、上框第１板部６０１および押し縁に囲まれた溝部（ガラス溝）には、ガラス４の上縁部が差し込まれて嵌合する。
上框５には、上框第１室外側板部５１の上框外板部５９よりも下側部分、上框外板部５９、上框第１室内側板部５６の上框外板部５９よりも下側部分、上框内板部６０、上框第３室外側板部５４、上框室外内板部５５に囲まれた上框中空部５ｃが形成されている。上框中空部５ｃには、框芯材３１が挿入される。上框中空部５ｃを形成する上框第１室外側板部５１の上框外板部５９よりも下側部分、上框外板部５９、上框第１室内側板部５６の上框外板部５９よりも下側部分、上框内板部６０、上框第３室外側板部５４、上框室外内板部５５と上框中空部形成壁部（壁部）５ｄとする。
【００３２】
図７に示すように、下框６は、上框５と上下を反転させた形状に形成されている。下框６における、上框５の「上框第１室外側板部５１」、「上框第２室外側板部５２」、「上框室外外板部５３」、「上框第３室外側板部５４」、「上框室外内板部５５」、「上框第１室内側板部５６」、「上框第２室内側板部５７」、「上框室内外板部５８」、「上框外板部５９」、「上框内板部６０」に対応する部分を、「下框第１室外側板部６１」、「下框第２室外側板部６２」、「下框室外外板部（下框外壁部）６３」、「下框第３室外側板部６４」、「下框室外内板部６５」、「下框第１室内側板部６６」、「下框第２室内側板部６７」、「下框室内外板部（下框外壁部）６８」、「下框外板部６９」、「下框内板部７０」とする。
【００３３】
また、下框６には、上框５と同様に、下框第１室外側板部６１、下框外板部６９、下框第１室内側板部６６、下框内板部７０、下框第３室外側板部６４、下框室外内板部６５に囲まれた下框中空部６ｃが形成されている。下框中空部６ｃには、框芯材３１が挿入される。下框中空部６ｃを形成する下框第１室外側板部６１、下框外板部６９、下框第１室内側板部６６、下框内板部７０、下框第３室外側板部６４、下框室外内板部６５を下框中空部形成壁部（壁部）６ｄとする。
【００３４】
図８および図９に示すように、第２召合せ框７Ａは、室外側に設けられる召合せ框第１室外側板部７１と、召合せ框第１室外側板部７１の右側部分の室内側に間隔をあけて設けられる召合せ框第２室外側板部７２と、召合せ框第１室外側板部７１の右側の端部と召合せ框第２室外側板部７２の右側の端部を連結する召合せ框室外内板部７３と、室内側に設けられる召合せ框室内側板部７４と、召合せ框第１室外側板部７１と召合せ框室内側板部７４とを連結する召合せ框外板部（召合せ框外壁部）７５と、召合せ框第２室外側板部７２と召合せ框室内側板部７４とを連結する召合せ框内板部７６と、を有している。
【００３５】
召合せ框第１室外側板部７１は、平板状に形成され、板面が室内外方向を向く鉛直面となる姿勢で配置されている。召合せ框第１室外側板部７１の室外側には、煙返し７１１が取り付けられている。召合せ框第１室外側板部７１は、上框第１室外側板部５１および下框第１室外側板部６１と同じ断面形状に形成されている。
【００３６】
召合せ框第２室外側板部７２は、平板状に形成され、板面が室内外方向を向く鉛直面となる姿勢で配置されている。召合せ框第２室外側板部７２は、召合せ框第１室外側板部７１よりも左右方向の寸法が小さく形成されていて、右側の端部が召合せ框第１室外側板部７１の右側の端部と室内外方向に重なり、左側の端部が召合せ框第１室外側板部７１の左方側の端部よりも右側に配置されている。召合せ框第２室外側板部７２は、上框第３室外側板部５４および下框第３室外側板部６４と同じ断面形状に形成されている。
【００３７】
召合せ框室外内板部７３は、召合せ框第１室外側板部７１の右側の端部から室内側に延びて、召合せ框第２室外側板部７２の右側の端部に達している。召合せ框室外内板部７３は、上框室外内板部５５および下框室外内板部６５と同じ断面形状に形成されている。
【００３８】
召合せ框室内側板部７４は、平板状に形成され、板面が室内外方向を向く鉛直面となる姿勢で配置されている。召合せ框室内側板部７４は、召合せ框第１室外側板部７１よりも左右方向の寸法が小さく形成されていて、左側の端部が第１室外側板部の左側の端部と室内外方向に重なりで、右側の端部が召合せ框第１室外側板部７１の右側の端部よりも左側で、召合せ框第２室外側板部７２の左側の端部と室内外方向に重なる位置に配置されている。召合せ框室内側板部７４は、上框第１室内側板部５６および下框第１室内側板部６６と同じ断面形状に形成されている。
【００３９】
召合せ框外板部７５は、平板状に形成され板面が水平面となる姿勢で配置されている。召合せ框外板部７５は、召合せ框第１室外側板部７１の左側の端部と召合せ框室内側板部７４の左側の端部とを連結している。
図４、図８および図９に示すように、召合せ框外板部７５の上端部分には、室内外方向の中間部に位置し、上側に開口する第１切欠き部７５１が形成されている。
図５、図１０および図１１に示すように、召合せ框外板部７５の下端部分には、室内外方向の中間部に位置し、下側に開口する第２切欠き部７５２が形成されている。
【００４０】
図８および図９に示すように、召合せ框内板部７６は、召合せ框第２室外側板部７２の左側の端部と召合せ框室内側板部７４における右側の端部よりもやや左側の位置と、を連結している。召合せ框内板部７６は、召合せ框第２室外側板部７２の右側の端部から室内側に延びる召合せ框第１板部（召合せ框内壁部）７６１と、召合せ框第１板部７６１の室内側の端部から左側に延びる召合せ框第２板部７６２と、召合せ框第２板部７６２の左側の端部から室内側に延びて召合せ框第１室外側板部７１と連結される召合せ框第３板部７６３と、を有している。召合せ框第１板部７６１の室内側の端部は、召合せ框室内側板部７４よりも間隔をあけた室外側に配置されている。召合せ框第１板部７６１の右側には、内障子１のガラス４（図３参照）が配置される。召合せ框内板部７６は、上框内板部６０および下框内板部７０と同じ断面形状に形成されている。
【００４１】
第２召合せ框７Ａには、召合せ框第２板部７６２、召合せ框第３板部７６３および召合せ框第１室外側板部７１の右側の端部分に囲まれて右側に開口する召合せ框凹部７ａが形成されている。この召合せ框凹部７ａにはガラス４を抑える押し縁（不図示）が右側から差し込まれ嵌合するように構成されている。押し縁は、召合せ框第１板部７６１よりも右側に突出している。召合せ框第２室外側板部７２、召合せ框第１板部７６１および押し縁に囲まれた溝部（ガラス溝）には、ガラス４の左側の縁部が差し込まれて嵌合する。召合せ框第１板部７６１の右側の面は、溝部の底面となっている。
第２召合せ框７Ａには、召合せ框第２板部７６２の左側の端部（召合せ框第２板部７６２と召合せ框第３板部７６３との角部）から召合せ框第１室外側板部７１まで室外側に延びる第１中板部７７１と、第１中板部７７１から召合せ框第１板部７６１まで右側に延びる２つの第２中板部７７２と、を有している。
【００４２】
第２召合せ框７Ａには、召合せ框第１室外側板部７１、召合せ框外板部７５、召合せ框室内側板部７４、召合せ框内板部７６の召合せ框第３板部７６３、第１中板部７７１に囲まれた召合せ框中空部７ｃが形成されている。召合せ框中空部７ｃには、框芯材３１が挿入配置される。召合せ框中空部７ｃを形成する召合せ框第１室外側板部７１、召合せ框外板部７５、召合せ框室内側板部７４、召合せ框内板部７６の召合せ框第３板部７６３、第１中板部７７１に囲まれた召合せ框中空部７ｃを召合せ框中空部形成壁部（壁部）７ｄとする。
【００４３】
上框５と第２召合せ框７Ａとは、上框５の左側の端面と第２召合せ框７Ａの上端面とを突き合わせて溶着されている。上框５と第２召合せ框７Ａとは、それぞれの断面形状における外周部に配置される板部同士が溶着されている。
具体的には、上框第１室外側板部５１の左側の端面と召合せ框第１室外側板部７１の上端面とが溶着され、上框第３室外側板部５４の左側の端面と召合せ框第２室外側板部７２の上端面とが溶着され、上框室外内板部５５の左側の端面と召合せ框室外内板部７３の上端面とが溶着され、上框第１室内側板部５６の左側の端面と召合せ框室内側板部７４の上端面とが溶接され、上框内板部６０の左側の端面と召合せ框内板部７６の上端面とが溶着されている。
図４に示すように、上框室外外板部５３の左側の端面は、召合せ框外板部７５における第１切欠き部７５１よりも室外側の部分の上端面７５３と溶着され、上框室内外板部５８の左側の端面は、召合せ框外板部７５における第１切欠き部７５１よりも室内側の部分の上端面７５４と溶着されている。
上框５の断面形状における外周部よりも内側に配置されている上框第２室外側板部５２、上框第２室内側板部５７および上框外板部５９は、第２召合せ框７Ａと溶着されていない。
【００４４】
下框６と第２召合せ框７Ａとは、下框６の左側の端面と第２召合せ框７Ａの下端面とを突き合わせて溶着されている。下框６と第２召合せ框７Ａとは、それぞれの断面形状における外周部に配置される板部同士が溶着されている。
具体的には、下框第１室外側板部６１の左側の端面と召合せ框第１室外側板部７１の下端面とが溶着され、下框第３室外側板部６４の左側の端面と召合せ框第２室外側板部７２の下端面とが溶着され、下框室外内板部６５の左側の端面と召合せ框室外内板部７３の下端面とが溶着され、下框第１室内側板部６６左側の端面と召合せ框室内側板部７４の下端面とが溶接され、下框内板部７０の左側の端面と召合せ框内板部７６の下端面とが溶着されている。
図５に示すように、下框室外外板部６３の左側の端面は、召合せ框外板部７５における第２切欠き部７５２よりも室外側の部分の下端面７５５と溶着され、下框室内外板部６８の左側の端面は、召合せ框外板部７５における第２切欠き部７５２よりも室内側の部分の下端面７５６と溶着されている。
下框６の断面形状における外周部よりも内側に配置されている下框第２室外側板部６２、下框第２室内側板部６７および下框外板部６９は、第２召合せ框７Ａと溶着されていない。
【００４５】
続いて、第２建具１１Ｂの内障子１について説明する。図１２に示すように第２建具１１Ｂの内障子１は、第１建具１１Ａの内障子１と同様に、上框５、下框６、第１召合せ框７Ｂおよび戸先框８が、合成樹脂製で、内部に長さ全体にわたって中空部５ｃ，６ｃ，７ｃ，８ｃが形成されている。中空部５ｃ，６ｃ，７ｃ，８ｃには、金属製の框芯材３１が挿入配置されている。
第２建具１１Ｂの内障子１においても、上框５、下框６、および戸先框８は、それぞれ同一断面形状に形成され、第１建具１１Ａの上框５、下框６、および戸先框８と同一の断面形状に形成されている。第１召合せ框７Ｂは、第１建具１１Ａの内障子１の第２召合せ框７Ａと異なる断面形状であるとともに、上框５、下框６、および戸先框８とも異なる断面形状に形成されている。
【００４６】
上框５、下框６および戸先框８は、それぞれの幅寸法（長さ方向に直交する見付方向の寸法）がほぼ同じ長さに形成されている。第１召合せ框７Ｂは、上框５、下框６、および戸先框８よりも幅寸法が短く形成されている。
上框５、下框６、第１召合せ框７Ｂおよび戸先框８は、長さ方向の両端部がそれぞれ斜め４５°に切断されている。
【００４７】
上述したように、第１召合せ框７Ｂが上框５および下框６よりも幅寸法が短く形成されているため、図１２、図１３および図１４に示すように、上框５における第１召合せ框７Ｂと接合される左側の端面は、上下方向の全体ではなく、下部側５ｅ（ガラス４が配置される側）のみが斜め４５°に切断されている。図１３および図１４に示すように、上框外板部５９の左側の端部分には、室内外方向の中間部に位置し、左側に開口する第３切欠き部５９１が形成されている。
図１２、図１５および図１６に示すように、下框６における第１召合せ框７Ｂと接合される側の左側の端面は、上下方向の全体ではなく、上部側６ｅ（ガラス４が配置される側）のみが斜め４５°に切断されている。図１５および図１６に示すように、下框外板部６９の左側の端部分には、室内外方向の中間部に位置し、左側に開口する第４切欠き部６９１が形成されている。
【００４８】
図１２、図１３および図１５に示すように、第１召合せ框７Ｂは、上框５および下框６と互いの斜めに切断されている端面を突き合わせて９０°を成すように溶着されている。図１２に示すように、戸先框８は、上框５および下框６と互いの斜めに切断されている端面を突き合わせて９０°を成すように溶着されている。
上框５、下框６、戸先框８、戸先框８と上框５との接合、および戸先框８と下框６との接合については説明を省略し、第１召合せ框７Ｂと上框５との接合、および第１召合せ框７Ｂと下框６との接合について説明する。
【００４９】
図１７−図２０に示すように、第１召合せ框７Ｂは、室外側に設けられる召合せ框第１室外側板部７１と、召合せ框第１室外側板部７１の右側部分の室内側に間隔をあけて設けられる召合せ框第２室外側板部７２と、召合せ框第１室外側板部７１の右側の端面と召合せ框第２室外側板部７２の右側を連結する召合せ框室外内板部７３と、室内側に設けられる召合せ框室内側板部７４と、召合せ框第１室外側板部７１と召合せ框室内側板部７４を連結する召合せ框外板部７５と、召合せ框第２室外側板部７２と召合せ框室内側板部７４とを連結する召合せ框内板部７６と、を有している。
【００５０】
召合せ框第１室外側板部７１は、平板状に形成され、板面が室内外方向を向く鉛直面となる姿勢で配置されている。召合せ框第１室外側板部７１の室外側には、煙返し７１１が取り付けられている。召合せ框第１室外側板部７１は、上框第２室内側板部５７および下框６第２室内側板部の第１室外側板部よりも左右方向の寸法が短く形成されている。
【００５１】
召合せ框第２室外側板部７２は、平板状に形成され、板面が室内外方向を向く鉛直面となる姿勢で配置されている。召合せ框第２室外側板部７２は、召合せ框第１室外側板部７１よりも左右方向の寸法が小さく形成されていて、右側の端部が召合せ框第１室外側板部７１の右側の端部と室内外方向に重なりで、左側の端部が召合せ框第１室外側板部７１の左側の端部よりも右側に配置されている。召合せ框第２室外側板部７２は、上框第３室外側板部５４および下框第３室外側板部６４と同じ断面形状に形成されている。
【００５２】
召合せ框室外内板部７３は、召合せ框第１室外側板部７１の右側の端部から室内側に延びて、召合せ框第２室外側板部７２の右側の端部に達している。召合せ框室外内板部７３は、上框室外内板部５５および下框室外内板部６５と同じ断面形状に形成されている。
【００５３】
召合せ框室内側板部７４は、平板状に形成され、板面が室内外方向を向く鉛直面となる姿勢で配置されている。召合せ框室内側板部７４は、召合せ框第１室外側板部７１よりも左右方向の寸法が小さく形成されていて、左側の端部が召合せ框第１室外側板部７１の左側の端部と室内外方向に重なりで、右側の端部が召合せ框第１室外側板部７１の右側の端部よりも左側で、召合せ框第２室外側板部７２の左側の端部と室内外方向に重なる位置に配置されている。召合せ框室内側板部７４は、上框第２室内側板部５７および下框６第２室内側板部よりも左右方向の寸法が短く形成されている。
【００５４】
召合せ框外板部７５は、平板状に形成され板面が左右方向を向く姿勢で配置されている。召合せ框第１室外側板部７１の左側の端部と召合せ框室内側板部７４の左側の端部とを連結している。
図１７および図１８に示すように、召合せ框外板部７５の上端部分には、室内外方向の中間部に位置し、上側に開口する第１切欠き部７５１が形成されている。
図１９および図２０に示すように、召合せ框外板部７５の下端部分には、室内外方向の中間部に位置し、下側に開口する第２切欠き部７５２が形成されている。
【００５５】
召合せ框内板部７６は、召合せ框第２室外側板部７２の左側の端部と、召合せ框第１室外側板部７１における右側の端部よりもやや左側の位置と、を連結している。召合せ框内板部７６は、召合せ框第２室外側板部７２の右側の端部から室内側に延びる召合せ框第１板部７６１と、召合せ框第１板部７６１の室内側の端部から左側に延びる召合せ框第２板部７６２と、召合せ框第２板部７６２の左側の端部から室外側に延びて召合せ框室内側板部７４と連結される召合せ框第３板部７６３と、を有している。召合せ框第１板部７６１の室内側の端部は、召合せ框室内側板部７４よりも間隔をあけた室外側に配置されている。召合せ框第１板部７６１の右側には、内障子１のガラス４が配置される。召合せ框内板部７６は、上框内板部６０および下框内板部７０と同じ断面形状に形成されている。
【００５６】
第１召合せ框７Ｂには、召合せ框第２板部７６２、召合せ框第３板部７６３および召合せ框第１室外側板部７１の右側の端部分に囲まれて右側に開口する召合せ框凹部７ａが形成されている。この召合せ框凹部７ａにはガラス４を抑える押し縁（不図示）が右側から差し込まれ嵌合するように構成されている。押し縁は、召合せ框第１板部７６１よりも右側に突出している。召合せ框第２室外側板部７２、召合せ框第１板部７６１および押し縁に囲まれた溝部（ガラス溝）には、ガラス４の左側の縁部が差し込まれて嵌合する。召合せ框第１板部７６１の右側の面は、溝部の底面となっている。
【００５７】
第１召合せ框７Ｂには、召合せ框第１室外側板部７１、召合せ框外板部７５、召合せ框室内側板部７４、召合せ框内板部７６、召合せ框第２室外側板部７２、召合せ框室外内板部７３に囲まれた召合せ框中空部７ｃが形成されている。召合せ框中空部７ｃには、框芯材３１が挿入される。召合せ框中空部７ｃを形成する召合せ框第１室外側板部７１、召合せ框外板部７５、召合せ框室内側板部７４、召合せ框内板部７６、召合せ框第２室外側板部７２、召合せ框室外内板部７３を召合せ框中空部形成壁部（壁部）７ｄとする。
【００５８】
上框５と第１召合せ框７Ｂとは、上框５の左側の端面と第１召合せ框７Ｂの上端面とを突き合わせるようにして溶着されている。
図２１には、上框５の左側の端面と第１召合せ框７Ｂの上端面と溶着される際に重なる様子を示している。第１召合せ框７Ｂの上端面は、ハッチングで示している。
具体的には、上框第１室外側板部５１と召合せ框第１室外側板部７１とが溶着され、上框第１室内側板部５６と召合せ框室内側板部７４とが溶着され、上框第３室外側板部５４と召合せ框第２室外側板部７２とが溶着され、上框室外内板部５５と召合せ框室外内板部７３とが溶着され、上框内板部６０と召合せ框内板部７６とが溶着される。
【００５９】
上框第１室外側板部５１と召合せ框第１室外側板部７１とは、上框第１室外側板部５１の下端部と召合せ框第１室外側板部７１の右側の端部とを揃え、召合せ框第１室外側板部７１の左側の端部が上框第１室外側板部５１の上端部よりも右側に配置されている。
上框第１室内側板部５６と召合せ框室内側板部７４とは、上框第１室内側板部５６の下端部と召合せ框室内側板部７４の右側の端部とを揃え、召合せ框室内側板部７４の左側の端部が上框第１室内側板部５６の上端部よりも右側に配置されている。
召合せ框外板部７５の第１切欠き部７５１は、上框第１凹部５ａと重なって配置されている。上框外板部５９の第３切欠き部５９１は、召合せ框中空部７ｃと重なって配置されている。
【００６０】
上框５と第１召合せ框７Ｂとは、下框６の左側の端面と第１召合せ框７Ｂの下端面とを突き合わせるようにして溶着されている。
図２２には、下框６の左側の端面と第１召合せ框７Ｂの下端面と溶着される際に重なる様子を示している。第１召合せ框７Ｂの下端面は、ハッチングで示している。
具体的には、下框第１室外側板部６１と召合せ框第１室外側板部７１とが溶着され、下框第１室内側板部６６と召合せ框室内側板部７４とが溶着され、下框第３室外側板部６４と召合せ框第２室外側板部７２とが溶着され、下框室外内板部６５と召合せ框室外内板部７３とが溶着され、下框内板部７０と召合せ框内板部７６とが溶着される。
【００６１】
下框第１室外側板部６１と召合せ框第１室外側板部７１とは、下框第１室外側板部６１の上端部と召合せ框第１室外側板部７１の右側の端部とを揃え、召合せ框第１室外側板部７１の左側の端部が下框第１室外側板部６１の下端部よりも右側に配置されている。
下框第１室内側板部６６と召合せ框室内側板部７４とは、下框第１室内側板部６６の上端部と召合せ框室内側板部７４の右側の端部とを揃え、召合せ框室内側板部７４の左側の端部が下框第１室内側板部６６の下端部よりも右側に配置されている。
召合せ框外板部７５の第２切欠き部７５２は、下框第１凹部６ａと重なって配置されている。下框外板部６９の第４切欠き部６９１は、召合せ框中空部７ｃと重なって配置されている。
【００６２】
次に、上述した本実施形態による障子の作用・効果について図面を用いて説明する。
上述した本実施形態による障子では、上框５および下框６には、断面形状が異なる第２召合せ框７Ａおよび第１召合せ框７Ｂがそれぞれ接合可能で、断面形状が異なる第２召合せ框７Ａおよび第１召合せ框７Ｂのうちの１つが接合されるように構成されている。これにより、断面形状が異なる召合せ框７であっても、共通する上框５および下框６に接合することができる。また、断面形状が異なる第２召合せ框７Ａおよび第１召合せ框７Ｂは、それぞれ上框５および下框６に対して異なる所定の位置で溶着されることにより、いずれの召合せ框７であっても上框５および下框６に対して確実に溶着することができる。
一般的に召合せ框７は、上框５、下框６および戸先框８と比べて大きな負荷がかかる。異なるサイズの障子では、召合せ框７に挿入される芯材の断面形状が異なり、召合せ框７の断面形状も異なることになる。
本実施形態では上述したように異なる断面形状の召合せ框７であっても、共通する上框５および下框６に接合することができるため、障子のサイズの異なる場合でも、断面形状が共通する上框５および下框６を用いて障子を製造することができる。
【００６３】
また、第１召合せ框７Ｂは、その断面の外形が上框５および下框６の断面の外形よりも小さい形状に形成されている。第１召合せ框７Ｂ、上框５および下框６には、それぞれ長さ方向に貫通し壁部５ｄ，６ｄ，７ｄに囲まれた中空部５ｃ，６ｃ，７ｃが形成され、第１召合せ框７Ｂと、上框５および下框６とは、それぞれの中空部５ｃ，６ｃ，７ｃを突き合わせて壁部５ｄ，６ｄ，７ｄが溶着されている。
このような構成とすることにより、第１召合せ框７Ｂの断面の外形と上框５および下框６の断面の外形とが異なる場合でも、中空部５ｃ，６ｃ，７ｃを囲む壁部５ｄ，６ｄ，７ｄ同士を突き合わせて溶着することができる。
【００６４】
また、第１召合せ框７Ｂの召合せ框外板部７５は、上框５の上端部に配置された上框外板部５９よりも下側に位置し、上框５の上下方向の中間部に設けられた上框内板部６０と溶着されるとともに、下框６の下端部に設けられた下框外板部６９よりも上側に位置し、下框６の上下方向の中間部に設けられた下框内板部７０と溶着されている。
このような構成とすることにより、断面の外形が上框５および下框６の断面の外形より小さい第１召合せ框７Ｂであっても、上框５および下框６と溶着することができる。
【００６５】
また、第２召合せ框７Ａは、その断面の外形が上框５および下框６の断面の外形と同じ形状に形成され、第２召合せ框７Ａと、上框５および下框６とは、それぞれの端面の外周部を突き合わせて溶着されている。
このような構成とすることにより、第２召合せ框７Ａと、上框５および下框６とを確実に溶着することができる。
【００６６】
また、第２召合せ框７Ａと、上框５および下框６とは、それぞれの端面の外周部以外において、互いに溶着されていない部分を有する構成である。
このように、第２召合せ框７Ａと、上框５および下框６とが、それぞれの端面の外周部以外において溶着されていない部分があっても障子１，２の品質に影響がない構成とすることにより、第２召合せ框７Ａの断面形状が上框５および下框６との断面形状が異なり、外周部以外において溶着されていない部分がある場合でも障子１，２を所望の品質に維持することができる。その結果、断面形状の外形が上框５および下框６の断面の外形と同じであるが断面形状における内側の部分の形状が異なる複数の第２召合せ框７Ａがある場合でも、これらの複数の第２召合せ框７Ａそれぞれを共通する上框および下框に接合することができる。
【００６７】
以上、本発明による障子の実施形態について説明したが、本発明は上記の実施形態に限定されるものではなく、その趣旨を逸脱しない範囲で適宜変更可能である。
例えば、上記の実施形態では、第２召合せ框７Ａおよび第１召合せ框７Ｂの２つの召合せ框７が、共通する上框５および下框６に溶着可能で、選択された１つの召合せ框７が共通する上框５および下框６にされるように構成されているが、断面形状の異なる３以上の召合せ框７が共通する上框５および下框６に溶着可能で、選択された１つの召合せ框７が共通する上框５および下框６にされるように構成されていてもよい。
また、第２召合せ框７Ａおよび第１召合せ框７Ｂの形状および上框５および下框６と溶着される部分は、適宜設定されてよい。
【符号の説明】
【００６８】
１  内障子（障子）
２  外障子（障子）
３  框
４  ガラス（面材）
５  上框
５ｃ  上框中空部（中空部）
５ｄ  上框中空部形成壁部（壁部）
６  下框
６ｃ  下框中空部（中空部）
６ｄ  下框中空部形成壁部（壁部）
７  召合せ框
７Ａ  第２召合せ框
７Ｂ  第１召合せ框
７ｃ  召合せ框中空部（中空部）
７ｄ  召合せ框中空部形成壁部（壁部）
８  戸先框
５３  上框室外外板部（上框外壁部）
５８  上框室内外板部（上框外壁部）
６３  下框室外外板部（下框外壁部）
６８  下框室内外板部（下框外壁部）
７５  召合せ框外板部（召合せ框外壁部）
７６１  召合せ框第１板部（召合せ框内壁部）
【図１】
2020041263.tif 000003
【図２】
2020041263.tif 000004
【図３】
2020041263.tif 000005
【図４】
2020041263.tif 000006
【図５】
2020041263.tif 000007
【図６】
2020041263.tif 000008
【図７】
2020041263.tif 000009
【図８】
2020041263.tif 000010
【図９】
2020041263.tif 000011
【図１０】
2020041263.tif 000012
【図１１】
2020041263.tif 000013
【図１２】
2020041263.tif 000014
【図１３】
2020041263.tif 000015
【図１４】
2020041263.tif 000016
【図１５】
2020041263.tif 000017
【図１６】
2020041263.tif 000018
【図１７】
2020041263.tif 000019
【図１８】
2020041263.tif 000020
【図１９】
2020041263.tif 000021
【図２０】
2020041263.tif 000022
【図２１】
2020041263.tif 000023
【図２２】
2020041263.tif 000024